(57)【要約】【課題】コンクリートの打設に際して、作業者の意図する箇所に振動機を確実に導くこと。【解決手段】本発明に係るコンクリート締め固め振動機用ガイド１０は、鉄筋２４のような補強材を埋設する状態にコンクリート２３を打設するに際して補強材に固定されて設けられ、打設されたコンクリート２３を締め固める棒状又はホース式の振動機２５を所定の位置に導くためのものである。打設されたコンクリート２３が貫通可能な貫通部１１ａを側周部に有し、振動機２５を挿通させて所定の位置に導くための挿通部材１１を備えている。振動機２５は、挿通部材１１を挿通し、鉄筋２４等への引っかかりが防止されながら過密配筋の箇所にも確実に導かれる。打設されたコンクリート２３は貫通部１１ａから挿通部材１１内部に貫通し、振動機２５によって締め固められる。【選択図】      図１
2004218275.tif 000002
【特許請求の範囲】
【請求項１】
補強材を埋設する状態にコンクリートを打設するに際して前記補強材に固定されて設けられ、打設されたコンクリートを締め固める棒状又はホース式の振動機を所定の位置に導くためのコンクリート締め固め振動機用ガイドであって、
打設されたコンクリートが貫通可能な貫通部を側周部に有し、前記振動機を挿通させて所定の位置に導くための挿通部材を備えることを特徴とするコンクリート締め固め振動機用ガイド。
【請求項２】
前記挿通部材は、所定の剛性を有する紐状の部材で形成されていることを特徴とする請求項１に記載のコンクリート締め固め振動機用ガイド。
【請求項３】
前記挿通部材には、その外形を保持するための保持部材が設けられていることを特徴とする請求項１又は２に記載のコンクリート締め固め振動機用ガイド。
【発明の詳細な説明】
【０００１】
【発明の属する技術分野】
本発明は、打設されたコンクリートを締め固めるための棒状の振動機を所定の位置に導くコンクリート締め固め振動機用ガイドに関する。
【０００２】
【従来の技術】
コンクリートの打設時には、コンクリートが鉄筋等の補強材の周囲及び型枠の隅々に確実に行き渡るように、打設後速やかかつ十分にコンクリートを締め固める必要がある。締め固めが不十分であると、豆板と呼ばれる施工不良箇所が生じたり、コンクリート躯体に強度のばらつきが生じたりしてしまう。締め固め作業を行うための機器としては、棒状の振動機が一般的である。
【０００３】
ところで、例えばトンネルの二次覆工部や橋梁のアーチ部等におけるコンクリート打設においては、それらの側壁部においては、側壁部に設けた検査窓から振動機を挿入して縦方向に移動させながら比較的容易に締固めが行えるものの、側壁部と天端部との間等においては、以下のような問題が生じる。すなわち、側壁部と天端部との間のコンクリートの打設は、天端部に設けられた打設口からのものが原則となっており、締固めは前記打設口あるいはこの近傍に設けられた検査窓から行う必要がある。この場合、締め固めは振動機の横方向への移動を伴いながら行う必要があり、特に過密配筋である場合には、鉄筋等が邪魔となって作業者が意図する箇所に振動機を確実に導くことが困難となる場合がある。
【０００４】
なお、振動機を導く方法としては、例えば、以下に示す特許文献１や特許文献２に記載の技術があるが、過密配筋である場合等において、鉄筋等への引っかかりを防止しながら振動機を作業者の意図する箇所に確実に導く構成としては十分ではない。
【０００５】
【特許文献１】
特開２００２−０３０８９３号公報（段落［０００９］〜［００１８］）
【特許文献２】
特開２０００−０６４６１５号公報（段落［０００６］〜［００１４］）
【０００６】
【発明が解決しようとする課題】
本発明の課題は、コンクリートの打設に際して、作業者の意図する箇所に振動機を確実に導くことを可能とするコンクリート締め固め振動機用ガイドを提供することである。
【０００７】
【課題を解決するための手段】
以上の課題を解決するために、請求項１に記載の発明は、例えば図１、図２に示すように、
補強材（鉄筋２４）を埋設する状態にコンクリート２３を打設するに際して前記補強材（鉄筋２４）に固定されて設けられ、打設されたコンクリート２３を締め固める棒状又はホース式の振動機２５を所定の位置に導くためのコンクリート締め固め振動機用ガイド１０であって、
打設されたコンクリート２３が貫通可能な貫通部１１ａを側周部に有し、前記振動機２５を挿通させて所定の位置に導くための挿通部材１１を備えることを特徴としている。
【０００８】
請求項１に記載の発明によれば、コンクリート打設前にコンクリート締め固め振動機用ガイドを、例えば過密配筋の箇所に設けておき、コンクリート打設後に振動機を挿通部材に挿通させることで、鉄筋等への引っかかりが防止されながら振動機は過密配筋の箇所に確実に導かれる。この際、打設されたコンクリートが挿通部材の側周部に形成された貫通部から挿通部材内部に貫通するので、過密配筋の箇所に打設されたコンクリートが振動機によって確実に締め固められる。すなわち、コンクリートの打設に際して、作業者の意図する箇所に振動機を確実に導くことが可能である。
【０００９】
前記棒状又はホース式の振動機は周知の技術である。ホース式の振動機とは、ホースの先端部に振動機を有するものであり、ホースの長さは、例えば５ｍ以上に設定されている。
【００１０】
前記挿通部材の構成材料としては、特に限定されるものではなく、コンクリート打設後に強度低下等を生じさせず、また耐アルカリ性を有するものであればよい。具体的には、例えば鉄筋（異形鉄筋、丸鋼）が挙げられるが、ガラス繊維、アラミド繊維、炭素繊維等を樹脂で固めて紐状に成型したＦＲＰ補強材でもよい。前記した鉄筋やＦＲＰ補強材を、スパイラル状あるいは網状にして挿通部材を形成すればよい。また、挿通部材をプラスチック、合成樹脂等によって形成してもよい。
【００１１】
コンクリート締め固め振動機用ガイドを設ける場所としては、前記したような過密配筋となる箇所の他、特に過密配筋でない箇所において、例えば一定間隔で設けておいてもよい。コンクリート締め固め振動機用ガイドを設ける方法としては、番線やタイラップバンド等で補強材に結束する方法の他、補強材が鉄筋で挿通部材も鉄筋である場合には溶接によってもよい。なお、コンクリート締め固め振動機用ガイドによるコンクリート躯体の強度の向上も期待できる。
【００１２】
前記補強材としては、鉄筋が一般的であるが、特に鉄筋に限定されるものではなく、例えば、鉄骨であってもよい。また、炭素繊維、ポリビニル繊維、ポリプロピレン繊維等を構成材料とするものであってもよい。
【００１３】
請求項２に記載の発明は、例えば図１、図２に示すように、請求項１に記載のコンクリート締め固め振動機用ガイド１０において、
前記挿通部材１１は、所定の剛性を有する紐状の部材で形成されていることを特徴としている。
【００１４】
請求項２に記載の発明によれば、挿通部材は、所定の剛性を有する紐状の部材で形成されているため、コンクリート締め固め振動機用ガイドを比較的容易かつ安価に、さらに軽量に形成できるほか、コンクリートの流動性等に対応した適切な貫通部の大きさを容易に設定できる。
【００１５】
なお、所定の剛性を有する紐状の部材の構成材料及びこれを用いた形状としては前記した通りである。
【００１６】
請求項３に記載の発明は、例えば図１に示すように、請求項１又は２に記載のコンクリート締め固め振動機用ガイド１０において、
前記挿通部材１１には、その外形を保持するための保持部材１１ｂが設けられていることを特徴としている。
【００１７】
請求項３に記載の発明によれば、挿通部材は、その外形を保持するための保持部材によってコンクリートの打設圧等で変形することが防止され、振動機を安定的に挿通させることができ、振動機による締め固めを安定的に行うことができる。
【００１８】
保持部材としては、例えば、挿通部材の軸方向に沿って所定の剛性を有する紐状の部材を固定しておけばよい。この場合、挿通部材と同じ構成材料としてもよいし異なる構成材料としてもよい。
【００１９】
【発明の実施の形態】
以下、図１、図２を参照して、本発明に係るコンクリート締め固め振動機用ガイドの実施の形態例について詳細に説明する。
【００２０】
本発明に係るコンクリート締め固め振動機用ガイドは、補強材を埋設する状態にコンクリートを打設するに際して鉄筋等の補強材に固定されて設けられ、打設されたコンクリートを締め固める棒状の振動機を所定の位置に導くためのものである。なお、補強材としては、前記した鉄筋の他、鉄骨等が挙げられるが、例えば、炭素繊維、ポリビニル繊維、ポリプロピレン繊維等を構成材料とするものであってもよい。
【００２１】
本発明に係るコンクリート締め固め振動機用ガイド１０は、図１（ａ）、図１（ｂ）に示すように、コンクリート（例えば図２に示すコンクリート２３）を締め固めるための振動機（例えば図２に示す振動機２５）を挿通させて所定の位置に導くための挿通部材１１を備え、この挿通部材１１の側周部には打設されたコンクリートが貫通可能な貫通部１１ａが形成されている。なお、図２に示す振動機２５は棒状又はホース式のものであり、周知の技術である。挿通部材１１は、鉄筋（異形鉄筋、丸鋼）や、ガラス繊維、アラミド繊維、炭素繊維等を樹脂で固めて成型したＦＲＰ補強材等を、図１（ａ）に示すようにスパイラル状にしたり、図１（ｂ）に示すように網状にしたりして形成されたものである。
【００２２】
前記したようにスパイラル状、あるいは、網状に形成されていることで、挿通部材１１の側周部には、打設されたコンクリートが貫通可能な貫通部１１ａが形成されている。打設されたコンクリートは、貫通部１１ａから挿通部材１１の内部に入り込み、この挿通部材１１の内部を挿通する振動機によって締め固められる。なお、紐状の部材による挿通部材１１の形状としては、特にスパイラル状、あるいは、網状のものに限られるものではなく、また、前記したような紐状の部材ではなくプラスチック、合成樹脂等によって筒状に形成されてもよい。
【００２３】
また、挿通部材１１の側周部には、その外形を保持するための保持部材１１ｂが軸方向に沿って固定されている。この保持部材１１ｂの構成材料としては、挿通部材１１と同じものでもよいし異なるものでもよい。挿通部材１１と保持部材１１ｂとの固定方法としては、番線等による結束であってもよいし、挿通部材１１と保持部材１１ｂとがともに鉄筋である場合には、溶接であってもよい。
【００２４】
コンクリート締め固め振動機用ガイド１０の設けられる場所としては、一般に過密配筋である箇所であるが、特に限定されるものではなく、過密配筋でない箇所において、例えば一定間隔で設けておいてもよい。
【００２５】
図２は、本発明に係るコンクリート締め固め振動機用ガイド１０を、トンネルの二次覆工部２０に配設した例を示すものである。図２に示すように、トンネルの二次覆工部２０のコンクリート２３の打設は、一次覆工の際にトンネルの内周面に設けられたセグメント２１と、トンネル内部にその軸方向に沿って移動可能に設置されるセントル２２との間においてなされる。なお、図２において、符号２４は配筋された鉄筋であり、符号２５は振動機を示す。
【００２６】
トンネルの二次覆工部２０のうち、側壁部２０ａと天端部２０ｂとの間のコンクリートの打設は、天端部２０ｂに設けられた図示しない打設口からのものが原則となっており、締固めは前記打設口あるいはこの近傍に設けられた検査窓から行う必要がある。この場合、締め固めは振動機２５の横方向への移動を伴いながら行う必要があり、従来においては、特に過密配筋である場合等に、鉄筋２４等が邪魔となって作業者が意図する箇所に振動機を確実に導くことが困難となる場合があった。
【００２７】
前記したような側壁部２０ａと天端部２０ｂとの間のコンクリート２３の打設においても、本発明に係るコンクリート締め固め振動機用ガイド１０を、図２（ａ）、図２（ｂ）に示すように、側壁部２０ａと天端部２０ｂとの間にトンネルの周方向に沿って設けておくことで、作業者の意図する箇所に振動機２５を確実に導くことが可能である。
【００２８】
なお、図２（ａ）に示すように、トンネルの二次覆工部２０の天端部２０ｂに、トンネルの軸方向に沿ってコンクリート締め固め振動機用ガイド１０を設けておいてもよい。
【００２９】
本実施の形態によれば、以下のような効果を得ることができる。
［１］コンクリート２３の打設前にコンクリート締め固め振動機用ガイド１０を、例えば過密配筋の箇所に設けておき、コンクリート２３の打設後に振動機２５を挿通部材１１に挿通させることで、鉄筋２４等への引っかかりが防止されながら振動機２５は過密配筋の箇所に確実に導かれる。この際、打設されたコンクリート２３が挿通部材１１の側周部に形成された貫通部１１ａから挿通部材１１内部に貫通するので、過密配筋の箇所に打設されたコンクリート２３が振動機２５によって確実に締め固められる。すなわち、コンクリート２３の打設に際して、作業者の意図する箇所に振動機２５を確実に導くことが可能である。
【００３０】
［２］挿通部材１１は、所定の剛性を有する紐状の部材で形成されているため、コンクリート締め固め振動機用ガイド１０を比較的容易かつ安価に、さらに軽量に形成できるほか、コンクリート２３の流動性等に対応した適切な貫通部１１ａの大きさを容易に設定できる。
【００３１】
［３］挿通部材１１は、その外形を保持するための保持部材１１ｂによってコンクリート２３の打設圧等で変形することが防止され、振動機２５を安定的に挿通させることができ、振動機２５による締め固めを安定的に行うことができる。
【００３２】
【発明の効果】
請求項１記載の発明によれば、コンクリート打設前にコンクリート締め固め振動機用ガイドを、例えば過密配筋の箇所に設けておき、コンクリート打設後に振動機を挿通部材に挿通させることで、鉄筋等への引っかかりが防止されながら振動機は過密配筋の箇所に確実に導かれる。この際、打設されたコンクリートが挿通部材の側周部に形成された貫通部から挿通部材内部に貫通するので、過密配筋の箇所に打設されたコンクリートが振動機によって確実に締め固められる。すなわち、コンクリートの打設に際して、作業者の意図する箇所に振動機を確実に導くことが可能である。
【００３３】
請求項２に記載の発明によれば、請求項１に記載の発明と同様の効果が得られることは勿論のこと、挿通部材は、所定の剛性を有する紐状の部材で形成されているため、コンクリート締め固め振動機用ガイドを比較的容易かつ安価に、さらに軽量に形成できるほか、コンクリートの流動性等に対応した適切な貫通部の大きさを容易に設定できる。
【００３４】
請求項３に記載の発明によれば、請求項１又は２に記載の発明と同様の効果が得られることは勿論のこと、挿通部材は、その外形を保持するための保持部材によってコンクリートの打設圧等で変形することが防止され、振動機を安定的に挿通させることができ、振動機による締め固めを安定的に行うことができる。
【図面の簡単な説明】
【図１】（ａ）、（ｂ）ともに、本発明に係るコンクリート振動機用ガイドの一例を示す断面図である。
【図２】（ａ）は、本発明に係るコンクリート振動機用ガイドを用いてコンクリートの打設が行われるトンネルの二次覆工部を示す断面図であり、（ｂ）は、（ａ）におけるＡ−Ａ断面図である。
【符号の説明】
１０        コンクリート締め固め振動機用ガイド
１１      挿通部材
１１ａ  貫通部
１１ｂ  保持部材
２３      コンクリート
２４      鉄筋（補強材）
２５      振動機
【図１】
2004218275.tif 000003
【図２】
2004218275.tif 000004